(57)【要約】【課題】段ボール製ケースにおいて梱包対象の個数を外部から確認可能とする。【解決手段】段ボール製ケース１は、段ボール材１０を稜部６〜８で折り曲げて形成された複数の側壁２〜５を備え、製品９，９，…を該稜部６〜８と平行に複数個積層させた状態で梱包する。稜部６を挟んで隣接する側壁２，３のうちの一方の側壁３には、製品９，９，…を外部から視認可能とするための窓部３４，３４が稜部６に接する位置に切り欠いて形成される一方、窓部３４，３４を形成するために切り欠かれた小片２１，２１は、他方の側壁３と一体的に形成されて、稜部６から外方に突出している。前壁３には、複数の窓部３４，３４，３５が、製品９，９，…のそれぞれが何れかの窓部３４，３４，３５から露出するように形成されている。【選択図】図１
2010100292.tif 000002
【特許請求の範囲】
【請求項１】
段ボール材を稜部で折り曲げて形成された複数の側壁を備え、梱包対象を該稜部の延びる方向へ複数個積層させた状態で梱包する段ボール製ケースであって、
前記稜部を挟んで隣接する前記側壁のうちの一方の該側壁には、前記梱包対象を外部から視認可能とするための窓部が該稜部に接する位置に切り欠いて形成される一方、
前記窓部を形成するために切り欠かれた小片は、他方の該側壁と一体的に形成されて、該稜部から外方に突出しており、
複数の前記側壁のうちの一の側壁には、複数の前記窓部が、前記梱包対象のそれぞれが何れかの該窓部から露出するように形成されていることを特徴とする段ボール製ケース。
【請求項２】
段ボール材を稜部で折り曲げて形成された複数の側壁を備え、梱包対象を該稜部と平行に複数個積層させた状態で梱包する段ボール製ケースであって、
前記稜部を挟んで隣接する前記側壁のうちの一方の該側壁には、前記梱包対象を外部から視認可能とするための窓部が該稜部に接する位置に切り欠いて形成される一方、
前記窓部を形成するために切り欠かれた小片は、他方の該側壁と一体的に形成されて、該稜部から外方に突出しており、
複数の前記側壁のうちの一の側壁には、複数の前記窓部が前記稜部の延びる方向へ間隔を空けて形成されており、
前記一の側壁のうち、該稜部の延びる方向と直交する方向の一端から他端に亘って前記窓部が形成されることなく前記梱包対象を覆っている遮蔽部分の、該稜部の延びる方向への幅は、前記各梱包対象の積層方向への幅よりも狭いことを特徴とする段ボール製ケース。
【請求項３】
請求項２に記載の段ボール製ケースにおいて、
前記一の側壁における、前記稜部の延びる方向への前記窓部の幅と、前記稜部の延びる方向への前記遮蔽部分の幅とを合わせた幅は、前記各梱包対象の積層方向への幅よりも広いことを特徴とする段ボール製ケース。
【請求項４】
請求項１乃至３の何れか１つに記載の段ボール製ケースにおいて、
前記一の側壁における、前記稜部の延びる方向への前記窓部の幅は、前記各梱包対象の積層方向への幅以上であることを特徴とする段ボール製ケース。
【請求項５】
請求項１乃至４の何れか１つに記載の段ボール製ケースにおいて、
前記一の側壁は、該一の側壁を挟持するように設けられた２つの側壁と隣接していて、それぞれの側壁との間に前記稜部が形成されており、
前記一の側壁における複数の前記窓部は、前記稜部の延びる方向において、前記稜部のうち一方の該稜部に接する位置と他方の該稜部に接する位置とに交互に配置されていることを特徴とする段ボール製ケース。
【発明の詳細な説明】
【技術分野】
【０００１】
本発明は、梱包対象を複数個積層させた状態で梱包する段ボール製ケースに関するものである。
【背景技術】
【０００２】
従来より、各種の製品を搬送する際には、製品の保護や製品の取り扱いの容易化のために、該製品を段ボール製ケースによって梱包している。かかる段ボール製ケースには、梱包対象である製品への外部からの衝撃を緩和するための種々の緩衝構造が採用されている。例えば、一般的なものとして、梱包対象を発泡スチロール樹脂で覆った状態で段ボール製ケースに梱包することが行われてきた。
【０００３】
しかしながら、環境保護の観点から発泡スチロール樹脂の使用は好ましくなく、段ボール製ケースだけで外部からの衝撃を緩衝する緩衝構造が創意工夫されている。その一例として、特許文献１に開示されたものがある。
【０００４】
この特許文献１に開示された段ボール製ケースは、段ボール材を稜部で折り曲げて形成された複数の側壁を備えている。ここで、該段ボール材には、稜部を挟んで隣接する２つの側壁において、稜部から開始し、一方の側壁に膨出し、再び、稜部へ戻ってくる略コ字状の切り込みを一方の側壁に形成されている。そして、該切り込みが形成された段ボール材を稜部で折り曲げて形成することで、一方の側壁には該切り込みによって切欠部が稜部に接する位置に形成される。その一方で、該切欠部を形成するために切り欠かれた小片が、他方の側壁と一体的に形成される。該小片は、稜部から一方の側壁の法線方向へ突出している。このように構成された段ボール製ケースは、梱包対象を四方から４つの側壁で覆っており、該側壁間に形成される稜部には、複数の小片が該側壁よりも外方に突出した状態で設けられている。この小片は、段ボール製ケースの側壁に外部からの衝撃が直接作用することを防止する緩衝部材として機能する。
【特許文献１】登録実用新案３００６４７８号公報
【発明の開示】
【発明が解決しようとする課題】
【０００５】
ところで、梱包対象を複数個まとめて梱包して搬送する際には、梱包対象を梱包し忘れたり、梱包対象のうちのいくつかが搬送中に抜き取られたりする可能性がある。そのため、搬送中の時々において、段ボール製ケースを開封することなく、梱包対象を確認できることが望ましい。
【０００６】
しかしながら、従来の段ボール製ケースによる梱包では、梱包対象の個数を外部から確認することができない。
【０００７】
本発明は、かかる点に鑑みてなされたものであり、その目的とするところは、段ボール製ケースにおいて梱包対象の個数を外部から確認可能とすることにある。
【課題を解決するための手段】
【０００８】
本発明は、段ボール材を稜部で折り曲げて形成された複数の側壁を備えた段ボール製ケースにおいて、緩衝部材として稜部に設けられた小片を形成する際に一方の側壁に形成される切欠部を梱包対象を外部から視認可能とするための窓部として機能させると共に、該窓部の形状及び配置を工夫することによって、梱包対象の個数を外部から確認可能とするようにしたものである。
【０００９】
詳しくは、第１の発明は、段ボール材を稜部で折り曲げて形成された複数の側壁を備え、梱包対象を該稜部の延びる方向へ複数個積層させた状態で梱包する段ボール製ケースが対象である。そして、前記稜部を挟んで隣接する前記側壁のうちの一方の該側壁には、前記梱包対象を外部から視認可能とするための窓部が該稜部に接する位置に切り欠いて形成される一方、前記窓部を形成するために切り欠かれた小片は、他方の該側壁と一体的に形成されて、該稜部から外方に突出しており、複数の前記側壁のうちの一の側壁には、複数の前記窓部が、前記梱包対象のそれぞれが何れかの該窓部から露出するように形成されているものとする。
【００１０】
前記の構成の場合、段ボール製ケースの前記稜部から突出する小片を形成する際に一方の側壁に形成される窓部を前記一の側壁において複数形成し、複数の該窓部を、梱包対象のそれぞれが必ず何れかの窓部から外部に露出するように形成することによって、段ボール製ケースの強度を確保しつつ、梱包対象の個数を段ボール製ケースの外方から確認可能とすることができる。
【００１１】
すなわち、仮に、前記一の側壁に、稜部の延びる方向において、全ての梱包対象が視認可能な幅を有する１つの窓部を形成すると、梱包対象の個数を確認することができるものの、該一の側壁のうち該窓部を設けた部分の剛性が著しく低下する。それに対して、側壁に複数の窓部を設け、該窓部を、個々の梱包対象が必ず何れかの窓部から外部に露出するように形成することによって、段ボール製ケースの剛性を低下させることなく、梱包対象の個数を段ボール製ケースの外部から確認可能とすることができる。具体的には、該窓部の形状及び配置を、個々の梱包対象が必ず何れかの窓部から外部に露出するように設定する。
【００１２】
第２の発明は、段ボール材を稜部で折り曲げて形成された複数の側壁を備え、梱包対象を該稜部と平行に複数個積層させた状態で梱包する段ボール製ケースが対象である。そして、前記稜部を挟んで隣接する前記側壁のうちの一方の該側壁には、前記梱包対象を外部から視認可能とするための窓部が該稜部に接する位置に切り欠いて形成される一方、前記窓部を形成するために切り欠かれた小片は、他方の該側壁と一体的に形成されて、該稜部から外方に突出しており、複数の前記側壁のうちの一の側壁には、複数の前記窓部が前記稜部の延びる方向へ間隔を空けて形成されており、前記一の側壁のうち、該稜部の延びる方向と直交する方向の一端から他端に亘って前記窓部が形成されることなく前記梱包対象を覆っている遮蔽部分の、該稜部の延びる方向への幅は、前記各梱包対象の積層方向への幅よりも狭いものとする。
【００１３】
前記の構成の場合、段ボール製ケースの前記稜部から突出する小片を形成する際に一方の側壁に形成される窓部を前記一の側壁において複数形成し、該一の側壁のうち該窓部が形成されていない前記遮蔽部分の稜部の延びる方向への幅を各梱包対象の積層方向への幅よりも狭くすることによって、段ボール製ケースの強度を確保しつつ、梱包対象の個数を段ボール製ケースの外方から確認可能とすることができる。
【００１４】
すなわち、前記一の側壁では、稜部の延びる方向において、窓部と、前記遮蔽部分とが交互に配列されている。そして、該稜部の延びる方向への遮蔽部分の幅が各梱包対象の積層方向への幅よりも広い場合、梱包対象が遮蔽部分に完全に隠れて、外部から視認できない状態が生じ得る。
【００１５】
それに対して、前記稜部の延びる方向への該遮蔽部分の幅を各梱包対象の積層方向への幅よりも狭くすることによって、何れの梱包対象も必ず、遮蔽部分からはみ出して窓部に露出することになる。その結果、梱包対象のそれぞれを何れかの窓部から必ず視認することができ、梱包対象の個数を段ボール製ケースの外部から確認可能とすることができる。また、稜部の延びる方向において、全ての梱包対象が視認可能な幅を有する１つの窓部を形成するのではなく、複数の窓部を形成することによって、段ボール製ケースの剛性の低下を防止することができる。
【００１６】
第３の発明は、第２の発明において、前記一の側壁における、前記稜部の延びる方向への前記窓部の幅と、前記稜部の延びる方向への前記遮蔽部分の幅とを合わせた幅は、前記各梱包対象の積層方向への幅よりも広いものとする。
【００１７】
前記の構成の場合、各梱包対象の積層方向両端に位置する端縁が窓部に露出し易くなり、梱包対象の個数を確認し易くなる。
【００１８】
すなわち、前記稜部の延びる方向への前記窓部の幅と前記稜部の延びる方向への前記遮蔽部分の幅とを合わせた幅が、各梱包対象の積層方向への幅と一致する場合には、梱包対象と側壁の遮蔽部分とが、稜部の延びる方向へ同じ間隔で規則的に配列されることになる。その結果、仮に、梱包対象の積層方向一端の一端縁が、遮蔽部分に覆われているときには、該梱包対象の積層方向他端の他端縁は、該遮蔽部分と隣接する別の遮蔽部分に覆われることになる。そして、この梱包対象に隣接する梱包対象もまた、一端縁と他端縁とが共に遮蔽部分で覆われることになる。このように、積層された全ての梱包対象について、その両端縁が遮蔽部分に覆われ、梱包対象の端縁が窓部に露出しないことになる。その結果、各窓部からは、梱包対象の一部を視認することができるものの、梱包対象の端縁を視認することができないため、梱包対象の全体像を認識することができず、梱包対象の１つ１つを計数し難くなる。
【００１９】
それに対して、前記稜部の延びる方向への前記窓部の幅と前記稜部の延びる方向への前記遮蔽部分の幅とを合わせた幅を、各梱包対象の積層方向への幅より広くすることによって、梱包対象と側壁の遮蔽部分とを、稜部の延びる方向へずらして配列させることができる。その結果、仮に、梱包対象の積層方向一端の一端縁が遮蔽部分に覆われているとしても、該遮蔽部分に隣接する別の遮蔽部分と該梱包対象の積層方向他端の他端縁との位置関係はずれるため、該梱包対象の他端縁が該別の遮蔽部分に覆われているとは限らない。もし、該梱包対象の他端縁が該別の遮蔽部分に覆われていたとしても、該梱包対象と隣接する梱包対象と遮蔽部分との位置関係はさらにずれるため、該隣接する梱包対象の他端縁がさらに別の遮蔽部分に覆われている可能性はさらに低くなる。その結果、複数の梱包対象のうち何れかの梱包対象の端縁は、窓部から露出するようになる。１つの梱包対象の端縁でも窓部から露出すると、端縁が露出している梱包対象はもちろん、それに隣接する梱包対象、さらにそれに隣接する梱包対象と、各梱包対象の全体像を容易に推測することができ、梱包対象の１つ１つを容易に計数することができる。
【００２０】
第４の発明は、第１〜第３の何れか１つの発明において、前記一の側壁における、前記稜部の延びる方向への前記窓部の幅は、前記各梱包対象の積層方向への幅以上であるものとする。
【００２１】
前記の構成の場合、稜部の延びる方向への窓部の幅を各梱包対象の積層方向への幅以上とすることによって、梱包対象の積層方向両端の端縁が共に、側壁の遮蔽部分に覆われることを防止することができる。すなわち、梱包対象の一端縁が遮蔽部分に覆われていたとしても、梱包対象の他端縁は窓部に露出させることができる。その結果、梱包対象の１つ１つを確実に認識することができるため、梱包対象の個数を確実に計数することができる。
【００２２】
第５の発明は、第１〜第４の何れか１つの発明において、前記一の側壁は、該一の側壁を挟持するように設けられた２つの側壁と隣接していて、それぞれの側壁との間に前記稜部が形成されており、前記一の側壁における複数の前記窓部は、前記稜部の延びる方向において、前記稜部のうち一方の該稜部に接する位置と他方の該稜部に接する位置とに交互に配置されているものとする。
【００２３】
前記の構成の場合、前記一の側壁は、隣接する一方の側壁との間に形成される稜部と、隣接する他方の側壁との間に形成される稜部とを有している。かかる構成において、複数の前記窓部を、稜部の延びる方向において、一方の稜部だけに接するように配置するのではなく、一方の稜部に接する位置と他方の稜部に接する位置とに交互に配置することによって、側壁の剛性の低下を防止することができる。
【００２４】
すなわち、側壁のうち窓部を形成した部分は剛性が低下する。そのため、複数の窓部を、稜部の延びる方向において、一方の稜部だけに接するように配置すると、側壁のうち一方の稜部に沿った部分の剛性だけが極端に低下してしまう。
【００２５】
それに対して、複数の窓部を、一方の稜部に接する位置と他方の稜部に接する位置とに稜部の延びる方向において交互に配置することによって、剛性が低下する部分を、一方の稜部側と他方の稜部側とに分散させることができ、側壁において、剛性が極端に低下する部分の発生を防止することができる。
【発明の効果】
【００２６】
本発明によれば、段ボール製ケースの前記稜部から突出する小片を形成する際に一方の側壁に形成される窓部を前記一の側壁において複数形成し、複数の該窓部を、梱包対象のそれぞれが必ず何れかの窓部から外部に露出するように形成することによって、段ボール製ケースの強度を確保しつつ、梱包対象の個数を段ボール製ケースの外方から確認可能とすることができる。
【００２７】
第２の発明によれば、段ボール製ケースの前記稜部から突出する小片を形成する際に一方の側壁に形成される窓部を前記一の側壁において複数形成し、該一の側壁のうち該窓部が形成されていない前記遮蔽部分の稜部の延びる方向への幅を各梱包対象の積層方向への幅よりも狭くすることによって、段ボール製ケースの強度を確保しつつ、梱包対象の個数を段ボール製ケースの外方から確認可能とすることができる。
【００２８】
第３の発明によれば、前記一の側壁において、窓部の稜部の延びる方向における、窓部の幅と前記遮蔽部分の幅とを合わせた幅を各梱包対象の積層方向への幅よりも広くすることによって、各梱包対象の積層方向両端に位置する端縁を窓部に露出し易くすることができ、梱包対象の１つ１つを認識し易くすることができる。その結果、梱包対象の個数を容易に確認することができる。
【００２９】
第４の発明によれば、前記一の側壁において、稜部の延びる方向への窓部の幅を各梱包対象の積層方向への幅以上とすることによって、梱包対象の端縁の両方ともが側壁の遮蔽部分に覆われることを防止することができ、梱包対象の１つ１つを確実に認識することができる。その結果、梱包対象の個数を容易且つ確実に確認することができる。
【００３０】
第５の発明によれば、前記一の側壁において、複数の窓部を一方の稜部と他方の稜部とに、稜部の延びる方向において交互に配置することによって、側壁の剛性の低下を可及的に防止することができる。
【発明を実施するための最良の形態】
【００３１】
以下、本発明の実施形態を図面に基づいて詳細に説明する。
【００３２】
《発明の実施形態》
図１は、本発明の実施形態に係る段ボール製ケース１の正面図であり、図２は、該段ボール製ケース１の斜視図であり、図３は、該段ボール製ケース１の展開図であり、図４は、該段ボール製ケース１で梱包する製品の斜視図である。
【００３３】
実施形態１に係る段ボール製ケース１は、４つの側壁２〜５を備えた断面矩形状の角筒状に形成されていて、該角筒内に複数の製品９，９，…を梱包している。尚、本実施形態では、図１に示す状態において、下側の側壁２を下壁２と、上側の側壁４を上壁４と、右手前側の側壁３を前壁３と、左奥側の側壁５を後壁５とも称する。
【００３４】
４つの前記側壁２〜５は、図３に示すように、１枚の段ボール材１０から構成されている。段ボール材１０を３つの稜部６，７，８で折り曲げることによって、４つの側壁２〜５が形成される。側壁２〜５の基本形状は、長方形であって、その端部には、後述する小片や窓部が形成されている。尚、前壁３の基本形状と後壁５の基本形状とは、同じ形状の長方形である。また、下壁２の基本形状と上壁４の基本形状とも、同じ形状の長方形であって、前壁３及び後壁５の基本形状よりも面積が大きな長方形である。
【００３５】
下壁２と前壁３との間の稜部６には、段ボール材１０を貫通する複数の切り込み６１〜６３が形成されている。詳しくは、稜部６の中央には、稜部６から開始して、下壁２へ膨出し、再び稜部６へ戻る略コ字状の切り込み６１が形成されている。また、稜部６における、切り込み６１の両外側には、稜部６から開始して、前壁３へ膨出し、再び稜部６へ戻る略コ字状の切り込み６２，６２が形成されている。さらに、稜部６における、切り込み６２，６２よりもさらに外側には、それぞれ、互いに平行な一対の切り込み６３，６３が該稜部６に直交し且つ該稜部６に跨った状態で形成されている。
【００３６】
このような切り込み６１〜６３が形成された段ボール材１０を稜部６で谷折りに折り曲げると、該稜部６で折れ曲がった下壁２と前壁３とが形成される。下壁２と前壁３とは、そのなす角が略９０°となるまで折り曲げられる。
【００３７】
このとき、稜部６の中央においては、切り込み６１によって囲まれた小片３１が、下壁２と前壁３とが折れ曲がるのに合わせて、前壁３と一体となって、下壁２から離れて浮き上がり、前壁３の一部として稜部６から下壁２の法線方向（図２では下方）へ突出した状態となる。その一方で、下壁２には、稜部６と接する位置において、小片３１が切り欠かれた部分に窓部（図示省略）が形成される。
【００３８】
また、切り込み６２，６２が形成された部分においては、切り込み６２，６２によって囲まれた小片２１，２１が、下壁２と前壁３とが折れ曲がるのに合わせて、下壁２と一体となって、前壁３から離れて浮き上がり、下壁２の一部として稜部６から前壁３の法線方向（図２では右手前の方向）へ突出した状態となる。その一方で、前壁３には、稜部６と接する位置において、小片２１，２１が切り欠かれた部分に窓部３４，３４が形成される。
【００３９】
さらに、切り込み６３，６３，…が形成された部分においては、一対の切り込み６３，６３で挟まれた帯状の規制片３３が、稜部６に対応する部分で山折りに（稜部６とは逆に）折り曲げられる一方、下壁２側の端部及び前壁３側の端部では谷折りに折り曲げられることによって、段ボール製ケース１の内方に突出した状態となる。
【００４０】
尚、図３は、段ボール材１０を、段ボール製ケース１の内面側から見た図であり、一点鎖線は谷折りを、破線は山折りを表している。ただし、一点鎖線を谷折りにすることもできるが、そのときには、破線を山折りとする。
【００４１】
また、前壁３と上壁４との間の稜部７には、段ボール材１０を貫通する複数の切り込み７１，７２，７２が形成されている。詳しくは、稜部７の中央に、稜部７から開始して、前壁３へ膨出し、再び稜部７へ戻る略コ字状の切り込み７１が形成されている。また、稜部７における、切り込み７１の両外側には、稜部７から開始して、上壁４へ膨出し、再び稜部７へ戻る略コ字状の切り込み７２，７２が形成されている。
【００４２】
このような切り込み７１，７２，７２が形成された段ボール材１０を稜部７で谷折りに折り曲げると、該稜部７で折れ曲がった前壁３と上壁４とが形成される。前壁３と上壁４とは、そのなす角が略９０°となるまで折り曲げられる。
【００４３】
このとき、稜部７の中央においては、切り込み７１によって囲まれた小片４１が、前壁３と上壁４とが折れ曲がるのに合わせて、上壁４と一体となって、前壁３から離れて浮き上がり、上壁４の一部として稜部７から前壁３の法線方向（図２では右手前の方向）へ突出した状態となる。その一方で、前壁３には、稜部７と接する位置において、小片４１が切り欠かれた部分に窓部３５が形成される。
【００４４】
また、切り込み７２，７２が形成された部分においては、切り込み７２，７２によって囲まれた小片３２，３２が、前壁３と上壁４とが折れ曲がるのに合わせて、前壁３と一体となって、上壁４から離れて浮き上がり、前壁３の一部として稜部７から上壁４の法線方向（図２では上方）へ突出した状態となる。その一方で、上壁４には、稜部７と接する位置において、小片３２，３２が切り欠かれた部分に窓部４３，４３が形成される。
【００４５】
さらに、上壁４と後壁５との間の稜部８には、段ボール材１０を貫通する複数の切り込み８１〜８３が形成されている。詳しくは、稜部８の中央には、稜部８から開始して、後壁５へ膨出し、再び稜部８へ戻る略コ字状の切り込み８１が形成されている。また、稜部８における、切り込み８１の両外側には、稜部８から開始して、上壁４へ膨出し、再び稜部８へ戻る略コ字状の切り込み８２，８２が形成されている。さらに、稜部８における、切り込み８２，８２よりもさらに外側には、それぞれ、互いに平行な一対の切り込み８３，８３が該稜部８に直交し且つ該稜部８に跨った状態で形成されている。
【００４６】
このような切り込み８１〜８３が形成された段ボール材１０を稜部８で谷折りに折り曲げると、該稜部８で折れ曲がった上壁４と後壁５とが形成される。上壁４と後壁５とは、そのなす角が略９０°となるまで折り曲げられる。
【００４７】
このとき、稜部８の中央においては、切り込み８１によって囲まれた小片４２が、上壁４と後壁５とが折れ曲がるのに合わせて、上壁４と一体となって、後壁５から離れて浮き上がり、上壁４の一部として稜部８から後壁５の法線方向（図２では左奥の方向）へ突出した状態となる。その一方で、後壁５には、稜部８と接する位置において、小片４２が切り欠かれた部分に窓部（図示省略）が形成される。
【００４８】
また、切り込み８２，８２が形成された部分においては、切り込み８２，８２によって囲まれた小片５１，５１が、上壁４と後壁５とが折れ曲がるのに合わせて、後壁５と一体となって、上壁４から離れて浮き上がり、後壁５の一部として稜部８から上壁４の法線方向（図２では上方）へ突出した状態となる。その一方で、上壁４には、稜部８と接する位置において、小片５１，５１が切り欠かれた部分に窓部４４，４４が形成される。
【００４９】
さらに、切り込み８３，８３，…が形成された部分においては、一対の切り込み８３，８３で挟まれた帯状の規制片５２が、稜部８に対応する部分で山折り（稜部８とは逆に）折り曲げられる一方、上壁４側の端部及び後壁５側の端部では谷折りに折り曲げられることによって、段ボール製ケース１の内方に突出した状態となる。
【００５０】
尚、後壁５における稜部８と対向する辺部５３の両端には、外方に突出する２つの小片５４，５４が設けられている。また、下壁２における稜部６と対向する辺部２２には、両端よりも内側の部分に、外方に突出する２つの小片２３，２３が設けられている。これら後壁５の辺部５３と、下壁２の辺部２２とは、段ボール材１０を折り曲げて角筒を形成したときに、互いに合致し、後壁５と下壁２との間の稜部を形成する。このとき、後壁５の小片５４，５４と下壁２の小片２３，２３とは、互いに干渉しないように稜部の延びる方向においてずれた位置に配置されている。また、後壁５の小片５４，５４は、後壁５と下壁２との間の稜部から、下壁２の法線方向（図２では下方）へ突出している一方、下壁２の小片２３，２３は、後壁５と下壁２との間の稜部から、後壁５の法線方向へ突出している。後壁５の辺部５３と、下壁２の辺部２２とは、段ボール材１０が角筒を形成した状態において、テープ等を貼付することで接合される。ただし、後壁５の辺部５３及び下壁２の辺部２２の一方に貼付しろを設けて、該貼付しろを他方の側壁に貼付するように構成してもよい。
【００５１】
このように構成された段ボール製ケース１で、複数の製品９，９，…を梱包する。
【００５２】
製品９は、図４に示すように、扁平な直方体状の形状をしている。この製品９を厚み方向（最も幅が狭い方向）に５個積層させて、その状態で段ボール製ケース１により梱包する。
【００５３】
詳しくは、積層させた５個の製品９，９，…を段ボール材１０の下壁２の内面上に載置する。このとき、積層させた製品９，９，…は、規制片３３，３３の間に収まるように配置されている。換言すれば、規制片３３，３３の間隔は、梱包する製品９，９，…の積層方向における全幅に対応している。
【００５４】
この状態から、段ボール材１０を稜部６，７，８で順次折り曲げていくことによって、積層された製品９，９，…の四方が段ボール材１０で覆われていく。最終的には、後壁５の辺部５３を下壁２の辺部２２に当接させ、テープ等で両者を貼付する。こうして、段ボール材１０から角筒が形成され、その内部に製品９，９，…が梱包される。
【００５５】
ここで、段ボール材１０を折り曲げていくときに、稜部６，７，８では、前述の如く、小片２１，３１，…が外方に突出するように形成されていくと共に、側壁２〜５には窓部３４，３５，…が形成されていく。その結果、各側壁においては、その法線方向に少なくとも３つ以上の小片が突出している。尚、小片２１，３１，…の突出量は、同じ側壁に突出する小片の間では一定である。すなわち、前壁３から突出する小片２１，２１，４１の前壁３からの突出量は全て同じである。また、上壁４から突出する小片３２，３２，５１，５１の上壁４からの突出量は、全て同じである。さらに、後壁５や下壁２においても同様である。ただし、前壁から突出する小片２１，２１，４１の突出量と上壁４から突出する小片３１，３１，５１，５１の突出量とが同じである必要はない。すなわち、小片の突出量は、側壁内で同じであれば、側壁ごとに異なっていてもよい。
【００５６】
また、段ボール材１０を稜部６で折り曲げるときには、規制片３３，３３が段ボール製ケース１の内方に突出するように折れ曲がると共に、段ボール材１０を稜部８で折り曲げるときには、規制片５２，５２が段ボール製ケース１の内方に突出するように折れ曲がる。これら規制片３３，３３，５２，５２によって、積層された製品９，９，…の段ボール製ケース１内での積層方向への移動が規制される。
【００５７】
こうして、積層された製品９，９，…を梱包した段ボール製ケース１は、さらに大きな直方体形状の外側段ボール製ケース（図示省略）に梱包される。この外側段ボール製ケースは、その内面に段ボール製ケース１の小片２１，３１，…の先端が当接する程度の大きさとなっている。
【００５８】
製品９，９，…をこのように梱包した結果、段ボール製ケース１又は外側段ボール製ケースに衝撃が加わっても、その衝撃を小片２１，３１，…で受け止め、さらに、衝撃が大きいときには、小片２１，３１，…が変形することで該衝撃を吸収するため、製品９，９，…には該衝撃が直接作用しない。その結果、発泡スチロール樹脂等を用いることなく、段ボール製ケース１の構成だけで、外部からの衝撃を緩衝し、梱包対象である製品９，９，…を保護している。
【００５９】
続いて、前壁３における３つの窓部３４，３４，３５の構成について、図１を参照しながら説明する。
【００６０】
段ボール製ケース１には、小片２１，４１，…を形成した結果、複数の窓部３４，３５，…が形成されており、これら窓部３４，３５，…によって段ボール製ケース１の内の製品９，９，…を視認することができる。そして、本実施形態では、製品９，９，…を視認するだけでなく、製品９，９，…の個数を計数できるように、前壁３における窓部３４，３４，３５の形状及び配置が決められている。
【００６１】
詳しくは、窓部３４，３４は、前壁３において一方の稜部６に接する位置に配置されている一方、窓部３５は、前壁３において他方の稜部７に接する位置に配置されている。
【００６２】
また、稜部６，７が延びる方向への窓部３４，３４，３５の寸法（以下、稜部６，７が延びる方向への寸法を単に「幅」と称する）は、各製品９の積層方向への幅（以下、単に「製品９の幅」と称する）Ｗと同じである。
【００６３】
さらに、窓部３４，３５，３４の、稜部６，７の延びる方向への配置について説明すると、窓部３４，３４は、規制片３３，３３の内方に配置されていて、稜部６，７が延びる方向への規制片３３との間隔が、製品９の幅Ｗの半分の幅となっている。窓部３５は、窓部３４，３４の内方に配置されていて、稜部６，７が延びる方向への各窓部３４との間隔が、製品９の幅Ｗの半分の幅となっている。
【００６４】
すなわち、前壁３には、一方の稜部６に接する位置にも他方の稜部７に接する位置にも窓部３４，３４，３５が形成されておらず、稜部６から稜部７に亘って製品９を覆う帯状の遮蔽部分３ａ，３ａ，…が４箇所に形成されている。そして、稜部６，７が延びる方向への、これら遮蔽部分３ａ，３ａ，…の幅は、製品９の幅Ｗの半分の幅となっている。
【００６５】
窓部３４，３４，３５をこのように構成した結果、図１において、左側から順に、１番目の製品９と２番目の製品９とは、左側の窓部３４に露出し、３番目の製品９は、窓部３５に露出し、４番目の製品９と５番目の製品９とは、右側の窓部３４に露出することになる。このように、全ての製品９，９，…を窓部３４，３４，３５の何れかを介して視認することができる。その結果、製品９，９，…の個数を段ボール製ケース１の外部から計数することができる。
【００６６】
−実施形態の効果−
したがって、本実施形態によれば、製品９，９，…のそれぞれが窓部３４，３４，３５の何れかから露出するように該窓部３４，３４，３５を構成することによって、製品９，９，…のそれぞれを窓部３４，３４，３５を介して視認することができ、段ボール製ケース１の外部から製品９，９，…の個数を確認することができる。
【００６７】
これら窓部３４，３４，３５は、小片２１，２１，４１を形成することによって形成されるため、稜部６，７に接する位置に形成される。そして、窓部３４，３４，３５を、稜部６，７の延びる方向において、一方の稜部６に接する位置と他方の稜部７に接する位置とに交互に配置することによって、窓部３４，３４，３５が前壁３において一方の稜部６側と他方の稜部７側とにバランス良く配置されるため、前壁３の剛性の低下を防止することができる。すなわち、窓部３４，３４，３５は、前壁３を切り欠いて形成されるため、前壁３のうち該窓部３４，３４，３５が形成された部分は剛性が低下する。そのため、窓部３４，３４，３５を一方の稜部６（７）だけに接するように配置すると、前壁３のうち稜部６（７）に近接する部分の剛性が著しく低下してしまう。それに対して、窓部３４，３４，３５を、稜部６，７の延びる方向において、一方の稜部６に接する位置と他方の稜部７に接する位置とに交互に配置することによって、剛性が低下する部分を分散させて配置することができ、前壁３において剛性が極点に低下する部分の発生を防止することができる。
【００６８】
また、前壁３の前記遮蔽部分３ａ，３ａ，…の幅を、製品９の幅Ｗよりも狭くする（具体的には、製品９の幅Ｗの半分の幅に）することによって、各製品９が何れかの遮蔽部分３ａに完全に覆われてしまうことを防止することができるため、各製品９を窓部３４，３４，３５の何れかに必ず露出させることができる。
【００６９】
さらに、隣接する窓部３４（３５）の幅と遮蔽部分３ａの幅とを合わせた幅（即ち、長さ）を製品９の幅よりも広く（具体的には、製品９の幅Ｗの１．５倍の幅に）することによって、製品９の幅方向両端に位置する端縁（幅方向と直交する端縁であり、以下、「幅方向端縁」という。）の何れかを窓部３４（３５）に露出させ易くすることができる。その結果、製品９，９，…の１つ１つを認識し易くなり、製品９，９，…の個数を容易に計数することができる。
【００７０】
すなわち、仮に、隣接する窓部３４（３５）の幅と遮蔽部分３ａの幅とを合わせた幅を製品９の幅と同じにすると、製品９，９，…と遮蔽部分３ａ，３ａ，…とが稜部６，７が延びる方向に同じ間隔で規則的に配列されることになるため、製品９の幅方向端縁の一方が遮蔽部分３ａに覆われている場合には、該製品９の幅方向端縁の他方も別の遮蔽部分３ａに必ず覆われることになる。そして、該製品９に隣接する別の製品９の幅方向端縁の一方も該別の遮蔽部分３ａに覆われることになり、さらには、該別の製品９の幅方向端縁の他方もさらに別の遮蔽部分３ａに覆われることになる。つまり、全ての製品９，９，…の幅方向両端縁が遮蔽部分３ａ，３ａ，…に覆われることになる。その結果、各窓部３４（３５）からは、製品９の一部を視認することができるものの、製品９の幅方向端縁を視認することができないため、製品９の全体像を認識することができず、製品９，９，…の１つ１つを計数し難くなる。それに対して、隣接する窓部３４（３５）の幅と遮蔽部分３ａの幅とを合わせた幅を製品９の幅よりも広くすることによって、製品９，９，…と遮蔽部分３ａ，３ａ，…とを稜部６，７，の延びる方向においてずらして配列することができるため、製品９の幅方向端縁の一方が遮蔽部分３ａに覆われているとしても、該製品９の幅方向端縁の他方が別の遮蔽部分３ａに覆われているとは限らず、仮に、該製品９の幅方向端縁の他方が別の遮蔽部分３ａに覆われていたとしても、該製品９と隣接する製品９の幅方向端縁の他方がさらに別の遮蔽部分３ａに覆われている可能性はさらに低くなる。このように、遮蔽部分３ａ，３ａ，…を製品９，９，…に対して稜部６，７，の延びる方向においてずらして配列することによって、製品９，９，…の何れかの幅方向端縁を窓部３４，３４，３５から露出させることができる。１つの製品９だけでも幅方向端縁が窓部３４（３５）から露出すると、幅方向端縁が露出している製品９はもちろん、それに隣接する製品９、さらにそれに隣接する製品９と、各製品９の全体像を容易に推測することができ、製品９，９，…の１つ１つを容易に計数することができる。
【００７１】
さらにまた、窓部３４（３５）の幅を、製品９の幅Ｗ以上（具体的には、製品９と同じ幅）とすることによって、製品９の幅方向端縁の両方が共に遮蔽部分３ａ，３ａに覆われることを防止することができる。その結果、製品９の幅方向端縁の何れか一方は、窓部３４（３５）に露出することになるため、各製品９の全体像を確実に推測することができ、製品９，９，…の１つ１つを確実に計数することができる。尚、前壁３の剛性の観点からは、製品９の幅Ｗを広くすることは好ましくないため、窓部３４（３５）の幅を製品９の幅Ｗと一致させることが好ましい。
【００７２】
《その他の実施形態》
本発明は、実施形態について、以下のような構成としてもよい。
【００７３】
前記実施形態では、前壁３に形成された窓部３４，３４，３５を製品９，９，…の個数を確認するための窓部としているが、他の側壁２，４，５に形成された窓部を、又は窓部も製品９，９，…の個数を確認するための窓部として構成してもよい。
【００７４】
また、前壁３に形成された窓部３４，３４，３５が製品９，９，…の個数確認のための窓部であることを示すために、前壁３の表面に矢印や文字等の目印を記してもよい。
【００７５】
また、前壁３の剛性確保の観点から、窓部３４，３４，３５を稜部６，７の延びる方向において稜部６側と稜部７側とで交互に配置しているが、これに限られるものではない。窓部３４，３４，３５を全て稜部６側又は稜部７側に配置してもよい。
【００７６】
さらに、窓部３４，３４，３５の形状及び配置は、前記の構成に限られるものではない。例えば、窓部３４，３４，３５は、遮蔽部分３ａの幅が製品９の幅Ｗより狭くなるのであれば、前記の構成に限られない。また、窓部３４，３４，３５の幅は、製品９の幅Ｗと同じでなくてもよい。つまり、製品９，９，…のそれぞれが窓部３４，３４，３５の何れかに露出する限りにおいては、窓部３４，３４，３５の形状及び配置については任意の構成を採用し得る。
【００７７】
また、前記段ボール製ケース１は、断面四角形の角筒に形成されているが、これに限られるものではない。梱包する製品の形状に応じて、断面三角形、断面五角形、又は、一部に円弧を含む閉断面形状等、任意の形状に形成することができる。さらに、段ボール製ケース１は、筒状に形成されているが、筒の軸方向両端にも側壁を設けて、箱状に形成してもよい。
【００７８】
さらに、製品９の形状は、前記の形状に限られるものではなく、任意の形状の製品を採用し得る。さらにまた、製品９の個数は、５個に限られるものではなく、複数であれば、いくつでもよい。
【００７９】
尚、前記実施形態は、本質的に好ましい例示であって、本発明、その適用物、あるいはその用途の範囲を制限することを意図するものではない。
【産業上の利用可能性】
【００８０】
以上説明したように、本発明は、梱包対象を複数個積層させた状態で梱包する段ボール製ケースについて有用である。
【図面の簡単な説明】
【００８１】
【図１】本発明の実施形態に係る段ボール製ケースの正面図である。
【図２】段ボール製ケースの斜視図である。
【図３】段ボール製ケースの展開図である。
【図４】梱包対象である製品の斜視図である。
【符号の説明】
【００８２】
１          段ボール製ケース
１０        段ボール材
２          下壁（側壁）
２１，２３  小片
３          前壁（側壁）
３１，３２  小片
３４，３５  窓部
４          上壁（側壁）
４１，４２  小片
４３，４４  窓部
５          後壁（側壁）
５１，５４  小片
６          稜部
７          稜部
８          稜部
９          製品（梱包対象）
【図１】
2010100292.tif 000003
【図２】
2010100292.tif 000004
【図３】
2010100292.tif 000005
【図４】
2010100292.tif 000006